(57)【要約】【課題】サイト間アップリンクキャリア・アグリゲーション設定時に、ユーザ装置のバッファ滞留量情報を迅速に、適切な無線基地局に報告する。【解決手段】バッファ状態報告の送信制御方法は、ネットワーク側で、第１の無線基地局の配下で前記第１の無線基地局と通信するユーザ装置のバッファ滞留量と、前記第１の無線基地局と異なる第２の無線基地局の配下のセルの品質の少なくとも一方に基づいて、サイト間アップリンクキャリア・アグリゲーションの実行を設定し、前記第１の無線基地局から、前記ユーザ装置に対し、前記サイト間アップリンクキャリア・アグリゲーションの設定を通知し、前記サイト間アップリンクキャリア・アグリゲーションの設定をトリガとして、前記ユーザ装置から、前記第２の無線基地局に対してバッファ状態報告を送信する。【選択図】図５
2014131240.tif 000002
【特許請求の範囲】
【請求項１】
ネットワーク側で、第１の無線基地局の配下で前記第１の無線基地局と通信するユーザ装置のバッファ滞留量と、前記第１の無線基地局と異なる第２の無線基地局の配下のセルの品質の少なくとも一方に基づいて、サイト間アップリンクキャリア・アグリゲーションの実行を設定し、
前記第１の無線基地局から、前記ユーザ装置に対し、前記サイト間アップリンクキャリア・アグリゲーションの設定を通知し、
前記サイト間アップリンクキャリア・アグリゲーションの設定をトリガとして、前記ユーザ装置から、前記第２の無線基地局に対してバッファ状態報告を送信する、
ことを特徴とするバッファ状態報告の送信制御方法。
【請求項２】
前記第２の無線基地局の配下のセルの品質が劣化した場合、前記ユーザ装置において、前記第１の無線基地局との通信再開のための通知を受信し、
前記通知をトリガとして、前記ユーザ装置から前記第１の無線基地局にバッファ状態報告を送信する、
ことを特徴とする請求項１に記載のバッファ状態報告の送信制御方法。
【請求項３】
前記第１の無線基地局にて、前記ユーザ装置のバッファ滞留量に基づいて、前記サイト間アップリンクキャリア・アグリゲーションを行なうことを設定し、
前記第１の無線基地局から前記ユーザ装置に対し、前記第２の無線基地局を設定するための制御信号を送信し、
前記ユーザ装置にて、前記制御信号に基づいて、前記第２の無線基地局を前記サイト間アップリンクキャリア・アグリゲーションの対象基地局として設定し、
前記第２の無線基地局に前記バッファ状態報告を送信する、
ことを特徴とする請求項１または２に記載のバッファ状態報告の送信制御方法。
【請求項４】
前記ユーザ装置にて、前記制御信号を受信したタイミングで、前記第２の無線基地局に対する前記バッファ状態報告をトリガし、
前記ユーザ装置と前記第２の無線基地局との間のコネクション確立手続に付随して前記バッファ状態報告を前記第２の無線基地局に送信する、
ことを特徴とする請求項３に記載のバッファ状態報告の送信制御方法。
【請求項５】
前記ユーザ装置にて、前記制御信号に基づく前記第２の無線基地局の設定を完了したタイミングで、前記第２の無線基地局に対する前記バッファ状態報告をトリガし、
前記ユーザ装置と前記第２の無線基地局との間のコネクション確立手続に付随して前記バッファ状態報告を前記第２の無線基地局に送信する、
ことを特徴とする請求項３に記載のバッファ状態報告の送信制御方法。
【請求項６】
前記ユーザ装置にて、前記設定完了された前記第２の無線基地局がアクティブ状態であると判断されたタイミングで、前記第２の無線基地局に対する前記バッファ状態報告をトリガし、
前記ユーザ装置と前記第２の無線基地局との間のコネクション確立手続に付随して前記バッファ状態報告を前記第２の無線基地局に送信する、
ことを特徴とする請求項５に記載のバッファ状態報告の送信制御方法。
【請求項７】
前記ユーザ装置にて、前記アクティブであると判断された前記第２の無線基地局に対してランダムアクセス手順を行うタイミングで、前記第２の無線基地局に対する前記バッファ状態報告をトリガし、
前記ユーザ装置と前記第２の無線基地局との間のコネクション確立手続に付随して前記バッファ状態報告を前記第２の無線基地局に送信する、
ことを特徴とする請求項６に記載のバッファ状態報告の送信制御方法。
【請求項８】
前記ユーザ装置にて、前記ランダムアクセス手順が完了し、前記第２の無線基地局との間でアップリンクの同期が確立したタイミングで、前記第２の無線基地局に対する前記バッファ状態報告をトリガし、
前記ユーザ装置と前記第２の無線基地局との間のコネクションの確立とともに前記バッファ状態報告を前記第２の無線基地局に送信する、
ことを特徴とする請求項７に記載のバッファ状態報告の送信制御方法。
【請求項９】
前記ユーザ装置で、前記第２の無線基地局により前記バッファ状態報告に基づいて割り当てられたアップリンクリソースを用いて、ユーザプレーンデータを前記第２の無線基地局に送信する工程、
をさらに含むことを特徴とする請求項１〜８のいずれか１項に記載のバッファ状態報告の制御方法。
【請求項１０】
第１の無線基地局から、サイト間アップリンクキャリア・アグリゲーションの設定通知を受信する受信部と、
前記設定通知に基づいて、バッファ状態報告をトリガし、前記サイト間キャリア・アグリゲーションの対象として、前記第１の無線基地局と異なる第２の無線基地局をセカンダリセルとして設定するキャリア管理部と、
アップリンクのバッファ滞留量を示すバッファ状態報告を作成するバッファ状態報告作成部と、
前記トリガにより、前記作成されたバッファ状態報告を前記第２の無線基地局に送信する送信部と、
を有することを特徴とするユーザ装置。
【請求項１１】
前記キャリア管理部は、前記受信部が前記第１の無線基地局との通信を再開する通信再開通知を受信した場合に、前記通信再開通知に基づいて、前記第１の無線基地局に対するバッファ状態報告の生成、送信をトリガする、
ことを特徴とする請求項１０に記載の無線基地局。
【請求項１２】
前記キャリア管理部は、前記受信部が前記第１の無線基地局から、前記第２の無線基地局を設定するための制御信号を受信したタイミングで、前記バッファ状態報告をトリガすることを特徴とする請求項１０または１１に記載のユーザ装置。
【請求項１３】
前記キャリア管理部は、前記制御信号に基づく前記第２の無線基地局の設定を完了したか否かを判断し、前記設定が完了したタイミングで、前記第２の無線基地局に対する前記バッファ状態報告をトリガすることを特徴とする請求項１２に記載のユーザ装置。
【請求項１４】
前記キャリア管理部は、前記設定完了された前記第２の無線基地局がアクティブ状態であるか否かを判断し、アクティブ状態であると判断されたタイミングで、前記第２の無線基地局に対する前記バッファ状態報告をトリガすることを特徴とする請求項１３に記載のユーザ装置。
【請求項１５】
前記キャリア管理部は、前記アクティブであると判断された前記第２の無線基地局に対してランダムアクセス手順を行うタイミングで、前記第２の無線基地局に対する前記バッファ状態報告をトリガすることを特徴とする請求項１４に記載のユーザ装置。
【請求項１６】
前記キャリア管理部は、前記ランダムアクセス手順が完了し、前記第２の無線基地局との間でアップリンクの同期が確立したタイミングで、前記第２の無線基地局に対する前記バッファ状態報告をトリガすることを特徴とする請求項１５に記載のユーザ装置。
【請求項１７】
前記送信部は、前記バッファ状態報告に応じて前記第２の無線基地局から割り当てられたアップリンクリソースを用いて、ユーザプレーンデータを前記第２の無線基地局に送信することを特徴とする請求項１０〜１６のいずれか１項に記載のユーザ装置。
【請求項１８】
第１の無線基地局と、前記第１の無線基地局の配下で前記第１の無線基地局と通信するユーザ装置と、前記第１の無線基地局と異なる第２の無線基地局と、を含む無線通信システムにおいて、
前記第１の無線基地局は、前記ユーザ装置のバッファ滞留量と、前記第２の無線基地局の配下のセルの品質の少なくとも一方に基づき、サイト間アップリンクキャリア・アグリゲーションの設定を前記ユーザ装置に通知し、
前記ユーザ装置は、前記サイト間アップリンクキャリア・アグリゲーションの設定により、バッファ状態報告をトリガし、前記通知に基づいて前記第２の無線基地局を前記サイト間キャリア・アグリゲーションの対象に設定して、前記第２の無線基地局にバッファ状態報告を報告する、
ことを特徴とする無線通信システム。
【請求項１９】
前記ユーザ装置は、前記第２の無線基地局配下のセルの品質が劣化した場合に、前記第１の無線基地局との通信を再開する通信再開通知を受信し、
前記通信再開通知の受信に基づいて、前記第１の無線基地局にバッファ状態報告を送信することを特徴とする請求項１８に記載の無線通信システム。
【発明の詳細な説明】
【技術分野】
【０００１】
本発明は、無線通信技術の分野に関し、特に、バッファ状態報告の送信制御とユーザ装置、及び無線通信システムに関する。
【背景技術】
【０００２】
３ＧＰＰ（3rd Generation Partnership Project）の標準化仕様Rel-10において、２０ＭＨｚを超える広帯域通信（たとえば１００ＭＨｚ）を実現するために、複数のコンポーネントキャリアを束ねて通信を行うキャリア・アグリゲーション（ＣＡ）が導入された（たとえば、特許文献１参照）。この手法では、同一基地局（ｅＮＢ）配下のセル間でしかコンポーネントキャリアを束ねることができないという制約がある。
【０００３】
Rel-12以降では、これまでよりもさらに柔軟なネットワークアーキテクチャを実現するひとつの方法として、異なる基地局（ｅＮＢ）配下のセルを束ねて通信を行うサイト間キャリア・アグリゲーション（Inter-site CA）が検討されている。
【０００４】
たとえば、図１に示すように、信頼性を必要とする制御プレーン（C-plane）データの伝送（SRB：Signaling Radio Bearer）は、マクロｅＮＢ２０配下のマクロセルで行い、広帯域通信が必要なユーザプレーン（U-plane）データの伝送（DRB：Date Radio Bearer）は、スモールｅＮＢ３０配下のスモールセルで行うことが提案されている。この場合、マクロセルを信頼性の高いプライマリセル（PCell：primary serving cell）に設定し、スモールセルを補足的（additional）なセカンダリセル（SCell：secondary serving cell）に設定することが想定される。
【０００５】
マクロセルにスモールセルを導入することによって、ユーザ装置（ＵＥ）１０のデータトラヒックをスモールセルにオフロードすることができる。C-planeデータとU-planeデータを切り分ける場合は、マクロセルが低い周波数帯を用いてユーザ装置１０の接続性とモビリティを確保し、スモールセルで高い周波数帯域を用いてスループットを向上することが考えられる。
【先行技術文献】
【非特許文献】
【０００６】
【非特許文献１】3GPP 36.300 v11.3.0
【発明の概要】
【発明が解決しようとする課題】
【０００７】
異なるｅＮＢ配下のセル間でキャリア・アグリゲーションを行う場合、ユーザ装置１０に無線リソースの割り当てを行うスケジューリングは、各ｅＮＢが独立して管理すると考えられる。
【０００８】
しかし、これまでのＬＴＥシステムでは、バッファ状態報告（ＢＳＲ：Buffer Status Report）を単一のｅＮＢにだけフィードバックしている。そのため、Inter-site CAを行う他のｅＮＢに対して、適切なタイミングでバッファ滞留量をフィードバックすることができないという新たな課題が生じる。
【０００９】
より具体的には、図２に示すように、従来の仕様では、ＵＥ１０はバッファ状態報告（ＢＳＲ）がトリガされるまでＢＳＲの報告を行わないので、Inter-site UL CAが設定された際に、他のｅＮＢ（スモールｅＮＢ３０）のスケジューラに対して迅速にバッファ滞留情報を送信することができない。スモールｅＮＢ３０は、ＵＥ１０のバッファ滞留情報を知らないため、どのくらいのアップリンクリソースをＵＥ１０に割り当てればよいのかわからないという問題がある。
【００１０】
周期的なＢＳＲタイマが満了するなどして一定時間の後に周期的なトリガ条件が満たされるとＢＳＲがトリガされるが、ＢＳＲタイマの周期が長い場合は、ＢＳＲの報告までに時間がかかる。
【００１１】
アンカーｅＮＢから、たとえばＸ２やＳ１インタフェースを介してバッファ滞留情報を転送することも考えられるが、ノードが異なるため、最新のバッファ滞留情報が送られるとは限らない。
【００１２】
そこで、本発明は、Inter-site UL CAが設定された場合の効率的なバッファ状態報告の送信制御とユーザ装置、及び無線通信システムを提供することを課題とする。
【課題を解決するための手段】
【００１３】
上記課題を解決するために、図３に示すように、Inter-site UL CAが設定された時に、ＵＥ１０はＢＳＲをトリガして、セカンダリセルを介してＢＳＲを報告する。
【００１４】
本発明の１つの態様では、バッファ状態報告の送信制御方法を提供する。この方法は、
ネットワーク側で、第１の無線基地局の配下で前記第１の無線基地局と通信するユーザ装置のバッファ滞留量と、前記第１の無線基地局と異なる第２の無線基地局の配下のセルの品質の少なくとも一方に基づいて、サイト間アップリンクキャリア・アグリゲーションの実行を設定し、
前記第１の無線基地局から、前記ユーザ装置に対し、前記サイト間アップリンクキャリア・アグリゲーションの設定を通知し、
前記サイト間アップリンクキャリア・アグリゲーションの設定をトリガとして、前記ユーザ装置から、前記第２の無線基地局に対してバッファ状態報告を送信する、
ことを特徴とする。
【００１５】
本発明の別の態様では、ユーザ装置を提供する。ユーザ装置は、
第１の無線基地局から、サイト間アップリンクキャリア・アグリゲーションの設定通知を受信する受信部と、
前記通知に基づいて、バッファ状態報告をトリガし、前記サイト間キャリア・アグリゲーションの対象として、前記第１の無線基地局と異なる第２の無線基地局をセカンダリセルとして設定するキャリア管理部と、
アップリンクのバッファ滞留量を示すバッファ状態報告を作成するバッファ状態報告作成部と、
前記トリガにより、前記作成されたバッファ状態報告を前記第２の無線基地局に送信する送信部と、
を有することを特徴とする。
【発明の効果】
【００１６】
Inter-site UL CAが設定された場合に、適正なｅＮＢに迅速にバッファ状態報告を報告することができる。
【図面の簡単な説明】
【００１７】
【図１】ＬＴＥ-advancedで提案されているスモールセル・エンハンスメントを説明するための図である。
【図２】サイト間アップリンクキャリア・アグリゲーションで新たに生じる課題を説明するための図である。
【図３】実施形態によるＢＳＲトリガの基本概念を示す図である。
【図４】マクロｅＮＢ、ユーザ装置、およびスモールｅＮＢ間で行われるＢＳＲ報告のシーケンス図である。
【図５】ユーザ装置によるＢＳＲトリガのタイミングを示すフローチャートである。
【図６】ＢＳＲトリガタイミングの具体例を示すフローチャートである。
【図７】ＢＳＲトリガタイミングの具体例を示すフローチャートである。
【図８】ＢＳＲトリガタイミングの具体例を示すフローチャートである。
【図９】ＢＳＲトリガタイミングの具体例を示すフローチャートである。
【図１０】ユーザ装置の構成例を示す図である。
【発明を実施するための形態】
【００１８】
以下で図面を参照して実施形態を説明する。
【００１９】
図３は、本発明の基本概念を示す図である。マクロｅＮＢ２０は図示しないコアネットワークに接続され、一定範囲の地理的エリアを管轄する。スモールｅＮＢ３０は、マクロｅＮＢ２０の管轄エリア内に設置されて、マクロｅＮＢ２０よりも小さいエリアを管轄する。マクロｅＮＢ２０とスモールｅＮＢ３０は、有線または無線で接続される。
【００２０】
以下の実施形態では、サイト間キャリア・アグリゲーションの対象としてスモールセルのｅＮＢを例にとって説明するが、本発明は異なるマクロｅＮＢ間で行うキャリア・アグリゲーションにも同様に適用可能である。
【００２１】
マクロセルを管轄するマクロｅＮＢ２０と、スモールセルを管轄するスモールｅＮＢ３０はともに進化型の無線基地局（Evolved Node B；ｅＮＢ）であり、種類によって呼称が違うだけである。この明細書で「スモールセル」というときは、マクロセルよりも小さなエリア半径（カバレッジ）で、マクロセルの最大ユーザ数よりも少ない接続数をサポートする無線基地局またはその管轄エリアを指し、ピコセル、フェムトセルなどを含む。「スモールｅＮＢ」はスモールセル方式の無線基地局であって、マクロセルの無線基地局よりも物理的サイズや送信出力の小さい無線基地局をいうが、「スモールセル」と同義で用いられる。管轄エリアサイズ、許容接続数、物理サイズ、送信出力などをまとめて、便宜上、スモールｅＮＢ３０は、マクロｅＮＢ２０よりも小さなセルサイズを有すると表現する。
【００２２】
マクロｅＮＢ２０は、ユーザ装置１０とマクロｅＮＢ２０の間の接続性と、ユーザ装置１０とスモールｅＮＢ３０の間の接続性を管理する。マクロｅＮＢ２０は、Inter-site UL CA（サイト間アップリンクキャリア・アグリゲーション）を設定すると、Inter-site UL CAのためのセカンダリセル（UL SCell）を設定（configure）するようにとの制御信号をユーザ装置１０に送信する。この制御信号を受けて、ユーザ装置１０とスモールｅＮＢ３０の間にコネクション確立の手続が開始される。
【００２３】
実施形態では、Inter-site UL CAが設定されると、ユーザ装置１０はＢＳＲをトリガして、コネクション確立の手続に付随して、スモールｅＮＢ３０へＢＳＲを報告する。より具体的には、後述するように、ユーザ装置１０は、マクロｅＮＢ２０からUL SCell設定のための制御信号を受信したときから、スモールｅＮＢ３０との間でアップリンクの同期が確立したとき（ＲＡ手順が完了したとき）までの、任意のタイミングでＢＳＲをトリガする。
【００２４】
この構成によって、サイト間アップリンクキャリア・アグリゲーションの対象となる他のセルのｅＮＢ（実施形態ではスモールｅＮＢ３０）は最新のバッファ滞留情報を得ることができ、ユーザ装置１０に適切な量のアップリンクリソースを割り当てることができる。ユーザ装置１０のデータ伝送をスモールｅＮＢ３０に割り振ったことにより、マクロｅＮＢ２０の負荷が軽減する。その結果、マクロｅＮＢ２０に接続する他のユーザの通信環境が改善される。
【００２５】
図４は、図３のマクロｅＮＢ２０、ユーザ装置１０、及びスモールｅＮＢ３０の間のＢＳＲ送信のシーケンス図である。
【００２６】
まず、マクロｅＮＢ２０と接続しているユーザ装置１０は、マクロｅＮＢ２０に周期的にＢＳＲを送信している（Ｓ１１）。ＢＳＲは、ユーザ装置１０の論理チャネル又は論理チャネルグループのバッファ滞留量を示す情報である。論理チャネルグループのバッファ滞留量を報告する場合は、４つの論理チャネルグループ（ＬＣＧ）＃１−＃４の各々のバッファ滞留量を論理チャネルグループ番号に対応付けて報告する。ＢＳＲは、マクロｅＮＢ２０によって割り当てられた物理アップリンクのコンポーネントキャリアを用いて伝送される。
【００２７】
マクロｅＮＢ２０は、ユーザ装置１０から送られてくるＢＳＲをモニタし（Ｓ２１）、ＢＳＲのモニタ結果に基づいて、Inter-site UL CAを設定する（Ｓ２２）。Inter-site UL CAは、たとえば、ＢＳＲの受信状況、バッファ滞留量、バッファ滞留量の変化傾向などに基づいて設定される。Inter-site UL CAが設定されると、マクロｅＮＢ２０は、ユーザ装置１０に対してUL SCellの設定のための制御信号を送信する（Ｓ２５）。この制御信号には設定すべきセカンダリセルの特定情報が含まれていても、含まれていなくてもよい。制御信号にセカンダリセルの特定情報が含まれている場合は、たとえば、マクロｅＮＢ２０のＲＲＣ機能が無線リソース状況に基づいて、ユーザ装置１０とアップリンク通信が可能なスモールセルをセカンダリセルとして指定する。制御信号にセカンダリセルの特定情報が含まれていない場合は、制御信号中にUL SCellの設定指示とともに、コンポーネントキャリアの候補情報が含まれていてもよい。この場合は、ユーザ装置１０が候補のコンポーネントキャリアを測定してセカンダリセルを選択、追加し、これをマクロｅＮＢに報告してもよい。
【００２８】
マクロｅＮＢ２０がユーザ装置１０とスモールｅＮＢ３０との間の接続性を一元的に管理する場合は、UL SCell設定のための制御信号をユーザ装置１０に送信するだけでよい。あるいは、Ｓ２５に先立って、マクロｅＮＢ２０と、Inter-site UL CAの対象とされるスモールｅＮＢ３０との間でネゴシエーションを行い、ネゴシエーションが成立したスモールｅＮＢ３０をセカンダリセルとして指定してもよい（Ｓ４１）。この場合、マクロｅＮＢ２０とスモールｅＮＢ３０との間のインタフェースは、既存のＸ２インタフェースを用いてもよいし、新たなインタフェースを設定してもよい。ネゴシエーションステップ（Ｓ４１）は任意であり、ネットワーク構成、スモールｅＮＢ３０の性能、UL SCell設定のための制御信号の内容などに応じて、行っても行なわなくてもよい。
【００２９】
ユーザ装置１０は、マクロｅＮＢ２０からinter-site UL CAの設定通知を受けると、ＢＳＲをトリガし、スモールｅＮＢ３０との間のコネクション確立の手続に付随して、スモールｅＮＢ３０にＢＳＲを送信する（Ｓ３１）。
【００３０】
スモールｅＮＢ３０は、ＢＳＲに含まれるバッファ滞留量に応じて、１以上のアップリンクコンポーネントキャリアをユーザ装置１０に割り当てる（Ｓ３２）。割り当てられるコンポーネントキャリアは、たとえば、マクロｅＮＢ２０がサポートするキャリアコンポーネントと異なる周波数帯に属するコンポーネントキャリアである。ユーザ装置１０は、ユーザデータ送信のためにスモールｅＮＢ３０をセカンダリセルとして追加している間は、スモールｅＮＢ３０から割り当てられるアップリンクリソースを用いて、スモールｅＮＢ３０にＢＳＲを報告する（Ｓ１３）。
【００３１】
この方法によると、タイマなどによる次のＢＳＲタイミングが到来するよりも早く、スモールｅＮＢ３０にＢＳＲを送ることができ、迅速にアップリンクのコンポーネントキャリアの割り当てを受けることができる。
【００３２】
図５は、Inter-site UL CA設定時のＢＳＲ送信タイミングの決定を示す基本フロ−である。ユーザ装置１０は、Inter-site UL CAが設定されたかどうかを判断し（Ｓ１００）、Inter-site UL CAが設定された場合に（Ｓ１００でＹＥＳ）、周期的なＢＳＲトリガのタイミングであるか否かにかかわらずＢＳＲをトリガし、セカンダリセルのｅＮＢ（スモールｅＮＢ３０）にＢＳＲを報告する（Ｓ１１１）。
【００３３】
これにより、Inter-site UL CAの設定とともに、適切なｅＮＢにＢＳＲが報告される。
【００３４】
図６〜図９は、ＢＳＲトリガのタイミング例を示す。図６の例では、ユーザ装置１０はUL SCellの設定のための制御信号を受信したタイミングで、ＢＳＲをトリガする。すなわち、ユーザ装置１０は、UL SCellの設定のための制御信号を受信したか否かを判断する（Ｓ１０１）。UL SCellの設定ための制御信号を受信した場合（Ｓ１０１でＹＥＳ）、ユーザ装置１０は制御信号で指定されたセカンダリセルのｅＮＢ（スモールｅＮＢ３０）にコネクションの確立要求を送信するとともに、ＢＳＲを報告する（Ｓ１１１ａ）。
【００３５】
UL SCellの設定のための制御信号を受信しない場合は（Ｓ１０１でＮＯ）、ユーザ装置１０は、プライマリセルのｅＮＢ、すなわちマクロｅＮＢ２０に、従前どおりＢＳＲを報告する（Ｓ１１２）。Ｓ１０１の判断工程は、制御信号の受信の有無の判断に替えて、セカンダリセルの設定が完了しかた否かを判断基準としてもよい。この場合は、セカンダリセルの設定完了のタイミングで、セカンダリセルのｅＮＢ（スモールｅＮＢ３０）にＢＳＲが報告される。
【００３６】
図７は、ＢＳＲトリガのタイミングの別の例を示す。ユーザ装置１０は、制御信号に基づくセカンダリセルの設定が完了したか否かを判断する（Ｓ１０１ａ）。セカンダリセルの設定が完了した場合（Ｓ１０１ａでＹＥＳ）は、ユーザ装置１０はセカンダリセルが"Ａｃｔｉｖｅ"にされたか否かを判断する（Ｓ１０２）。セカンダリセルが"Ａｃｔｉｖｅ"であると判断された場合は（Ｓ１０２でＹＥＳ）、ユーザ装置１０はセカンダリセルのｅＮＢ（スモールｅＮＢ３０）にＢＳＲを報告する（Ｓ１１１）。
【００３７】
セカンダリセルの設定がされただけではスケジューリングはまだ行われないことから、アップリンクリソースの割り当てがより確実になった時点でＢＳＲを報告する例である。
【００３８】
図８は、ＢＳＲトリガのタイミングのさらに別の例を示す。ユーザ装置１０は、制御信号に基づくセカンダリセルの設定が完了したか否かを判断する（Ｓ１０１ａ）。セカンダリセルの設定が完了した場合（Ｓ１０１ａでＹＥＳ）、ユーザ装置１０はセカンダリセルが"Ａｃｔｉｖｅ"にされたか否かを判断する（Ｓ１０２）。セカンダリセルが"Ａｃｔｉｖｅ"の場合（Ｓ１０２でＹＥＳ）、ＲＡＣＨ（Random Access Channel）手順が開始されたか否かを判断する（Ｓ１０３）。ＲＡＣＨ手順が開始された場合（Ｓ１０３でＹＥＳ）、ユーザ装置１０は、たとえばＲＡ（Random Access）プリアンブルを送信するタイミングでセカンダリセルのｅＮＢ（スモールｅＮＢ３０）にＢＳＲを報告する（Ｓ１１１）。ＲＡＣＨ手順が起動されたタイミングでＢＳＲをトリガすることに替えて、ＲＡＣＨ手順中の任意のタイミング、たとえば、ＲＡプリアンブルに対するＲＡ応答を受信したタイミングで、ＲＡ応答で割り当てられたアップリンクリソースを用いてＢＳＲを報告してもよい。
【００３９】
図９は、ＢＳＲトリガのタイミングのさらに別の例を示す。ユーザ装置１０は、制御信号に基づきセカンダリセルの設定が完了し（Ｓ１０１ａでＹＥＳ）、セカンダリセルが"Ａｃｔｉｖａｔｅ"され（Ｓ１０２でＹＥＳ）、ＲＡＣＨ手順が開始されると（Ｓ１０３でＹＥＳ）、セカンダリセルに対してアップリンクの同期が確立されたか否かを判断する（Ｓ１０４）。ＲＡ手順が完了して、セカンダリセルとの間で同期が確立された場合（Ｓ１０４でＹＥＳ）、ユーザ装置１０はセカンダリセルのｅＮＢ(スモールｅＮＢ３０)にＢＳＲを報告する（Ｓ１１１）。セカンダリセルとの間で同期が確立されると実際にスケジューリングが行われるので、このときの最新のバッファ滞留情報をセカンダリセルのｅＮＢに送信することができる。
【００４０】
このように、Inter-site UL CAが設定されたときにユーザ装置が行うＢＳＲトリガのタイミングとして、
（１）UL SCellの設定のための制御信号を受信したタイミング、あるいはこの制御信号によるUL SCellの設定が完了したタイミング、
（２）設定されたSCellがアクティベート（Activate）されたタイミング、
（３）当該SCellあるいは当該SCellが属するSCellグループに対してＲＡＣＨ手順が行われた場合（ＲＡＣＨ手順が起動されたタイミングなど、ＲＡＣＨ手順中のいかなる段階であってもよい）、
（４）当該SCellに対してアップリンクの同期がとれたタイミング（ＲＡ手順が完了したタイミングでもよい）、
などを用いることができる。
【００４１】
図１０は、ユーザ装置１０の概略構成図である。ユーザ装置１０は、ダウンリンク（ＤＬ)信号受信部１１と、アップリンク（ＵＬ）信号送信部１２と、ＭＡＣ（Media Access Control）管理部１３と、アップリンク（ＵＬ）バッファ管理部１５と、コンポーネントキャリア（ＣＣ）管理部１６を有する。
【００４２】
ＤＬ信号受信部１１は、図示しないアンテナを介して、ダウンリンクの無線信号を受信する。ＵＬ信号送信部１２は、図示しないアンテナを介して、アップリンクの無線信号を送信する。アンテナやベースバンド処理部等は、本発明と直接関係がないので図示を省略しているが、ＤＬ信号受信部１１とＵＬ信号送信部１２のＲＦ側は、１以上のアンテナ素子に接続され、ベースバンド側はベースバンド処理部（ディジタル信号処理部を含む）に接続されている。
【００４３】
マクロｅＮＢ２０とスモールｅＮＢに対して独立で通信するために、ＤＬ信号受信部１１は、異なる周波数帯（たとえば、２ＧＨｚ帯と３．５ＭＨｚ帯）のそれぞれに対応するＲＦ受信系を有してもよい。同様に、ＵＬ信号送信部１２は、異なる周波数帯のそれぞれに対応するＲＦ送信系を有してもよい。
【００４４】
ＭＡＣ管理部１３は、ＢＳＲ管理部１４を有する。ＭＡＣ管理部１３は、MAC PDU (Protocol Date Unit)の生成・処理や、ＨＡＲＱ（Hybrid Automatic Repeat Request）管理、ＲＡＣＨ管理等を行う。ＢＳＲ管理部１４は、ＢＳＲの生成、処理を行なう。
【００４５】
ＵＬバッファ管理部１５は、アップリンクのバッファ滞留量を監視し、アップリンクのバッファ滞留量をＢＳＲ管理部１４に通知する。
【００４６】
ＣＣ管理部１６は、Inter-site UL CAを含むキャリア・アグリゲーション（ＣＡ）の設定の有無を管理し、ＢＳＲをトリガする。ＣＣ管理部１６はまた、通信に用いられるコンポーネントキャリアの選択、管理や、SCellの設定、Activate／deactivateの管理などを行う。
【００４７】
具体的な動作の一例として、ユーザ装置１０は、ＤＬ信号受信部１１で、マクロｅＮＢ２０からInter-site UL CAの設定通知、すなわちUL SCell設定のための制御信号を受信すると、ＣＣ管理部１７はＢＳＲをトリガするタイミングを決定する。ＢＳＲ管理部１４は、ＵＬバッファ管理部１５から取得したバッファ滞留情報に基づいて論理チャネルまたは論議チャネルグループごとにバッファ滞留量情報を示すＢＳＲを作成する。作成されたＢＳＲは、ＵＬ信号送信部１２からUL SCell設定の対象となるスモールｅＮＢ３０に送信される。
【００４８】
このようにして、ユーザ装置１０は、タイマ等による従来のＢＳＲトリガのタイミングよりも早く、Inter-site UL CAのためにUL SCell設定されたスモールｅＮＢ３０に対してＢＳＲを報告することができる。
【００４９】
実施形態では、マクロｅＮＢ２０がユーザ装置１０からのＢＳＲに基づいてInter-site UL CAの開始を決定したが、これに限定されず、ネットワーク上の任意のノードでユーザ装置１０のバッファ滞留量情報に基づいてInter-site UL CAの開始を決定してもよい。また、実施形態のInter-site UL CAはマクロｅＮＢとスモールｅＮＢの間に限定されず、マクロｅＮＢとマクロｅＮＢ間で同様に実施可能である。
【００５０】
また、実施形態では、ユーザ装置のバッファ滞留量情報に基づいてInter-site UL CAを設定したが、スモールセルの無線リンクの品質に基づいてInter-site UL CAを設定することも可能である。
【００５１】
さらに上記では、Inter-site UL CAを開始する場合を例にして説明を行ったが、Inter-site UL CAを終了する場合も同様である。具体的には、他のセルのｅＮＢ（スモールｅＮＢ）配下のセルの無線リンクの品質が劣化した場合、当該セルにおける通信を終了し、スモールｅＮＢでデータ送信を行っていた（ベアラの）データについて、マクロｅＮＢで再度送信を行う必要がある。その場合にも、マクロｅＮＢとの通信再開に伴って最新のバッファ滞留量情報をマクロｅＮＢBに通知することで、スケジューリング遅延を低減することが可能である。なお、スモールｅＮＢ配下のセルでの通信終了とマクロｅＮＢとの通信再開の通知は、ネットワーク側からユーザ装置に送信される。
【符号の説明】
【００５２】
１０  ユーザ装置
１１  ＤＬ信号受信部
１２  ＵＬ信号送信部
１３  ＭＡＣ管理部
１４  ＢＳＲ管理部
１５  ＵＬバッファ管理部
１６  ＣＣ管理部
２０  マクロｅＮＢ
３０  スモールｅＮＢ
【図１】
2014131240.tif 000003
【図２】
2014131240.tif 000004
【図３】
2014131240.tif 000005
【図４】
2014131240.tif 000006
【図５】
2014131240.tif 000007
【図６】
2014131240.tif 000008
【図７】
2014131240.tif 000009
【図８】
2014131240.tif 000010
【図９】
2014131240.tif 000011
【図１０】
2014131240.tif 000012